(57)【要約】  本発明は、ランプユニット、特に、ＵＨＰランプユニットであって、ハウジングと、ハウジング内に位置付けられるランプと、透過窓を通してランプによって発せられる光を反射するためのランプに取り付けられるリフレクタと、リフレクタ及び／又はランプ及び／又はハウジングに取り付けられる少なくとも１つのサーマルブリッジ及び／又はヒートシンクユニットとを有するランプユニットに関する。その又は各々のサーマルブリッジ及び／又はヒートシンクユニットは、好ましくは、良好な熱導電率をもつ材料から製作され、例えば、その又は各々のサーマルブリッジ及び／又はヒートシンクは、金属又はセラミックから製作される。
2007537563.tif 000002
【特許請求の範囲】
【請求項１】
ハウジングと、前記ハウジング内に位置付けられるランプと、透過窓を通して前記ランプによって発せられた光を反射するための前記ランプに取り付けられたリフレクタとを有するランプユニットであって、
少なくとも１つのサーマルブリッジ及び／又は少なくとも１つのヒートシンクユニットが、前記リフレクタ及び／又は前記ランプ及び／又は前記ハウジングに取り付けられることを特徴とするランプユニット。
【請求項２】
ヒートシンクユニットが、前記ハウジングの外面に取り付けられることを特徴とする、請求項１に記載のランプユニット。
【請求項３】
前記ヒートシンクユニットが、前記ハウジングの前記外面に取り付けられた冷却フィンによって供給されることを特徴とする、請求項２に記載のランプユニット。
【請求項４】
少なくとも１つのサーマルブリッジが、前記リフレクタと、前記ハウジングの内面とに取り付けられることを特徴とする、請求項１乃至３の何れか一項に記載のランプユニット。
【請求項５】
サーマルブリッジが、前記リフレクタのネック部と、前記ハウジングの前記内面とに取り付けられることを特徴とする、請求項４に記載のランプユニット。
【請求項６】
前記サーマルブリッジが、前記リフレクタの前記ネック部と、前記ハウジングの前記内面とを連結することを特徴とする、請求項５に記載のランプユニット。
【請求項７】
サーマルブリッジが、前記リフレクタのフロント部と、前記ハウジングの前記内面とに取り付けられることを特徴とする、請求項１乃至６の何れか一項に記載のランプユニット。
【請求項８】
前記サーマルブリッジが、前記リフレクタの前記フロント部を、前記ハウジングの前記内面に連結することを特徴とする、請求項７に記載のランプユニット。
【請求項９】
サーマルブリッジが、前記透過窓及び前記ハウジングに取り付けられることを特徴とする、請求項１乃至８の何れか一項に記載のランプユニット。
【請求項１０】
前記サーマルブリッジが、前記透過窓を前記ハウジングに連結することを特徴とする、請求項９に記載のランプユニット。
【請求項１１】
サーマルブリッジが、前記ランプのフロント部と、前記透過窓とに取り付けられることを特徴とする、請求項１乃至１０の何れか一項に記載のランプユニット。
【請求項１２】
前記サーマルブリッジが、前記ランプの前記フロント部を、前記透過窓に連結することを特徴とする、請求項１１に記載のランプユニット。
【発明の詳細な説明】
【技術分野】
【０００１】
本発明は、ランプユニット、特に、ビーマーのような投影システムに使用される超高圧（ＵＨＰ）ランプユニットに関する。
【背景技術】
【０００２】
従来技術から知られる投影システムに使用される超高圧（ＵＨＰ）ランプは、ハウジングと、ハウジング内に位置付けられるランプと、透過窓を通してランプにより発せられる光を反射するためのランプに取り付けられるリフレクタとを有する。このランプは、一般に、ガス放電ランプとして設計され、それによって、ガス放電ランプの破裂後に有毒な蒸気が周囲に放散する可能性を防止するために、ガス放電ランプは気密ハウジング内に位置付けられる。このようなランプは、従来技術の欧州特許出願公開第１１６４３２８（Ａ２）号明細書から知られる。
【０００３】
「気密」という語句は、ランプが、周囲、即ち、外気とのオープンな接続にない態様であるものと理解されたい。これは、シールによって達成される。しかし、これらのシールは、通常、より低い内圧に対してのみ設計されることも理解されたい。
【０００４】
なぜこのようなＵＨＰランプユニットのガス放電ランプが破裂し得るのかについて考えられる理由は、ガス放電ランプが製作される材料の引っ張り強さ（tensile strength，抗張力）を低下させるランプユニット内の高温である。欧州特許出願公開第１２６４３２８（Ａ２）号明細書から、ランプの温度上昇を直接低下させるために、冷却剤にランプユニットの中を流れさせることが既に知られている。
【発明の開示】
【発明が解決しようとする課題】
【０００５】
本発明の目的は、ハウジングと、ハウジング内に位置付けられるランプと、透過窓を通してランプによって発せられる光を反射するためのランプに取り付けられるリフレクタと、リフレクタ及び／又はランプ及び／又はハウジングに取り付けられる少なくとも１つのサーマルブリッジ及び／又はヒートシンクユニットとを有するランプユニットを提供することにある。
【課題を解決するための手段】
【０００６】
好ましくは、その又は各々のサーマルブリッジ及び／又はヒートシンクユニットは、良好な熱導電率をもつ材料から製作され、例えば、その又は各々のサーマルブリッジ及び／又はヒートシンクは、金属又はセラミックから製作される。
【０００７】
本発明の好ましい実施形態によれば、少なくとも１つのサーマルブリッジが、リフレクタと、ハウジングの内面とに取り付けられ、それによって、その又は各々のサーマルブリッジは、リフレクタとハウジングの内面とを連結する。
【０００８】
本発明の他の好ましい実施形態によれば、サーマルブリッジが、ランプのネック部及び／又はフロント部と、透過窓とに取り付けられ、それによって、このサーマルブリッジは、ランプのネック部及び／又はフロント部を透過窓に連結する。
【０００９】
他のサーマルブリッジ及び／又はヒートシンクユニットが、リフレクタのフロント部、ハウジングの内面、透過窓及びハウジング並びにハウジングの外面に取り付けられることもできる。
【発明を実施するための最良の形態】
【００１０】
図１は、本発明によるランプユニット１の断面図を示す。図１に示されるランプユニット１は、いわゆる、超高圧ランプユニットとして設計され、気密ハウジング２と、このハウジング２内に位置付けられるガス放電ランプ３と、透過窓５を通してランプ３により発せられる光を反射するためにガス放電ランプ３に取り付けられるリフレクタ４とを有している。ランプユニットのハウジング２は、円柱又は円錐様のさまざまな異なる形状をもつことができる。
【００１１】
動作中のガス放電ランプ３の温度上昇を低下させるため、及びランプ３が製作される材料の引っ張り強さの低減を防止するために、少なくとも１つのサーマルブリッジ（thermal bridge，熱橋、熱の逃げ道）及び／又はヒートシンクユニットが、ランプユニット１に取り付けられ、即ち、リフレクタ４及び／又はランプ３及び／又はハウジング２に取り付けられる。
【００１２】
その又は各々のサーマルブリッジ及び／又はヒートシンクユニットは、ＵＨＰランプユニット１の重要な部分の受動的冷却を供給し、好ましくは、金属又はセラミックのような良好な熱伝導率をもつ材料から製作される。
【００１３】
図１によれば、ヒートシンクユニット６は、気密ハウジング２の外面７に取り付けられ、それによって、このヒートシンクユニット６は、気密ハウジング２の外面７に取り付けられた冷却フィン８によって供給されることになる。
【００１４】
サーマルブリッジは、リフレクタとハウジングの内面とに取り付けられ、それによって、このサーマルブリッジが、リフレクタとハウジングの内面とを連結している。第１のサーマルブリッジ９が、リフレクタ４のネック部１０及びハウジング２に取り付けられ、それによって、この第１のサーマルブリッジ９は、リフレクタ４のネック部１０をハウジング２の内面１１に連結している。第２のサーマルブリッジ１２が、リフレクタ４のフロント部１３と、ハウジング２とに取り付けられ、それによって、この第２のサーマルブリッジ１２は、リフレクタ４のフロント部１３をハウジング２の内面１１に連結している。
【００１５】
図１に示されるように、他のサーマルブリッジ１４が、ハウジング２及び透過窓５に取り付けられ、それによって、このサーマルブリッジ１４は、透過窓５をハウジング２に連結している。
【００１６】
図１に示される実施形態によれば、他のサーマルブリッジ１５が、ガス放電ランプ３のフロント部と、透過窓５とに取り付けられている。このサーマルブリッジ１５は、ランプ３のフロント部を透過窓５に連結している。ガス放電ランプ３のフロント部を透過窓５に連結するこのようなサーマルブリッジ１５は、好ましくは、パラボラ（parabolic，放物面）リフレクタと組み合わせて使用される。但し、このサーマルブリッジは、楕円形リフレクタと組み合わされることもできる。
【００１７】
図１に示される実施形態では、ランプユニット１が、全部で５つの個別のサーマルブリッジ又はヒートシンクユニット６，９，１２，１４及び１５を有し、それによって、これらのサーマルブリッジ又はヒートシンクユニットは、ランプユニット１の重要な部分からの熱を周囲に伝導する。従って、サーマルブリッジ又はヒートシンクユニット６，９，１２，１４及び１５は、ランプユニット１のための受動的冷却メカニズムを供給する。
【００１８】
本発明の代替の実施形態の範囲において、ランプユニットは、図１に示される５つのサーマルブリッジ又はヒートシンクユニットのサブセットを有することも可能であることに留意されたい。５つの図示されるサーマルブリッジ又はヒートシンクユニット６，９，１２，１４及び１５のサブセットの任意の組み合わせが、本発明の範囲内で可能である。
【００１９】
更に、本発明の範囲内であれば、水のような冷却剤で充填されたヒートパイプが、サーマルブリッジとして使用されることもできる。このような冷却剤で充填されたヒートパイプは、更に、良好な熱伝導率及び熱輸送をもたらす。
【図面の簡単な説明】
【００２０】
【図１】本発明によるランプユニットの断面図である。
【図１】
2007537563.tif 000003